(57)【要約】【課題】機器の不正使用、又は機器ごとの盗難時に生じ得る情報流出を未然に防止できる電気機器を提供する。【解決手段】主電源スイッチ及び副電源スイッチを備えており、外部との通信が可能である電気機器において、前記主電源スイッチがオンであって、前記副電源スイッチがオフである場合、外部から特定信号が受信されたか否かを判定する受信判定部と、該受信判定部の判定結果に基づいて、自機の起動・停止を制御する起動制御部とを備え、自機の起動を外部から特定信号が受信された場合に制限する。【選択図】図４
2014051072.tif 000002
【特許請求の範囲】
【請求項１】
主電源スイッチ及び副電源スイッチを備えており、外部との通信が可能である電気機器において、
前記主電源スイッチがオンであって、前記副電源スィッチがオフである場合、外部から特定信号が受信されたか否かを判定する受信判定部と、
該受信判定部の判定結果に基づいて、自機の起動・停止を制御する起動制御部と
を備えることを特徴とする電気機器。
【請求項２】
前記起動制御部は、
前記副電源スイッチがオンであるか否かの判定を行ない、
前記特定信号が受信されたと判定された場合であって、かつ前記副電源スイッチがオンであると判定された場合、自機を起動させるように構成されていることを特徴とする請求項１に記載の電気機器。
【請求項３】
前記受信判定部は、前記特定信号が受信されたと判定された場合、前記起動制御部に一のパルスを出力し、
前記副電源スイッチは、オンである場合、前記起動制御部に他のパルスを出力するように構成されており、
前記起動制御部は、
前記受信判定部からの一のパルスが入力されるラッチ回路を有し、かつ前記一のパルス及び他のパルスのレベルの異同を判定する異同判定部を備え、
該異同判定部の判定結果に基づいて自機を起動させるように構成されていることを特徴とする請求項１又は２に記載の電気機器。
【発明の詳細な説明】
【技術分野】
【０００１】
本発明は、主電源スイッチ及び副電源スイッチを備えており、外部との通信が可能である電気機器に関する。
【背景技術】
【０００２】
従来から、ＬＡＮを介して遠隔から端末装置を起動する、いわゆるＷＯＬ（Wake On LAN）との技術が知られている。
【０００３】
例えば、特許文献１には、ネットワークを介して遠隔から起動可能な通信端末装置において、該通信端末装置が省電力モードである場合、起動パケットを受信すると、スイッチング素子をオンして所定ハードウェアへの動作用電源電圧の供給を開始させることで、通常モードへ移行させる起動回路を備えた通信端末装置が開示されている。
【０００４】
また、特許文献２には、構内情報通信網の外部からユニキャストされた、端末装置に対する起動要求を表す起動要求情報に基づいて起動要求シーケンスを含むパケットが前記構内情報通信網内部で当該端末装置にブロードキャストされることにより、セキュリティを低下させることなくルータ装置を介して端末装置を起動することができることについて開示されている。
【先行技術文献】
【特許文献】
【０００５】
【特許文献１】特開２００９−２５３７４８号公報
【特許文献２】特開２００５−３３３２２９号公報
【発明の概要】
【発明が解決しようとする課題】
【０００６】
一方、公共の場所等に設置された機器からの情報流出に対する対策として、ＯＳ又はデータを格納するストレージを暗号化する方法等が知られている。しかし、斯かる機器がその本体ごと盗まれ、又はシステムごと盗まれてしまった場合は、盗難後、起動さえできれば、暗号化されたストレージからでもデータの読み出しが可能であるので、情報流出を防ぐことが出来ないという問題があった。
【０００７】
しかしながら、上述したような特許文献１又は特許文献２に係る発明は、このような問題を解決出来ない。
【０００８】
本発明は、斯かる事情に鑑みてなされたものであり、その目的とするところは、主電源スイッチ及び副電源スイッチを備えており、外部との通信が可能である電気機器において、前記主電源スイッチがオンであって、前記副電源スィッチがオフである場合、外部から特定信号が受信されたか否かを判定する受信判定部と、該受信判定部の判定結果に基づいて、自機の起動・停止を制御する起動制御部とを備えることにより、外部から特定信号が受信されていない場合における、自機の起動を制限することができ、自機の不正使用又は、上述したような、盗難時における情報流出を未然に防止できる電気機器を提供することにある。
【課題を解決するための手段】
【０００９】
本発明に係る電気機器は、主電源スイッチ及び副電源スイッチを備えており、外部との通信が可能である電気機器において、前記主電源スイッチがオンであって、前記副電源スィッチがオフである場合、外部から特定信号が受信されたか否かを判定する受信判定部と、該受信判定部の判定結果に基づいて、自機の起動・停止を制御する起動制御部とを備えることを特徴とする。
【００１０】
本発明にあっては、前記主電源スイッチがオンであって、前記副電源スィッチがオフである場合、前記受信判定部は外部から特定信号が受信されたか否かの判定を行なう。例えば、前記受信判定部によって、外部から特定信号が受信されたと判定された場合は、前記起動制御部が自機を起動させる。また、前記受信判定部によって、外部から特定信号が受信されていないと判定された場合は、前記起動制御部が起動中の自機を停止させ、又は自機の中止状態を維持させる。
【００１１】
本発明に係る電気機器は、前記起動制御部は、前記副電源スイッチがオンであるか否かの判定を行ない、前記特定信号が受信されたと判定された場合であって、かつ前記副電源スイッチがオンであると判定された場合、自機を起動させるように構成されていることを特徴とする。
【００１２】
本発明にあっては、前記主電源スイッチがオンであって、前記副電源スィッチがオフである場合において、前記受信判定部が外部から特定信号を受信したと判定したときであって、かつ前記副電源スイッチがオンとなったときのみ、前記起動制御部が自機を起動させる。
【００１３】
本発明に係る電気機器は、前記受信判定部は、前記特定信号が受信されたと判定された場合、前記起動制御部に一のパルスを出力し、前記副電源スイッチは、オンである場合、前記起動制御部に他のパルスを出力するように構成されており、前記起動制御部は、前記受信判定部からの一のパルスが入力されるラッチ回路を有し、かつ前記一のパルス及び他のパルスのレベルの異同を判定する異同判定部を備え、該異同判定部の判定結果に基づいて自機を起動させるように構成されていることを特徴とする。
【００１４】
本発明にあっては、前記主電源スイッチがオンであって、前記副電源スイッチがオフである場合において、前記異同判定部によって、前記受信判定部及び副電源スイッチから出力されたパルスのレベルが同一であると判定されたとき、又は前記受信判定部及び副電源スイッチから出力されたパルスのレベルが異なると判定されたとき、前記起動制御部が自機を起動させる。
【発明の効果】
【００１５】
本発明によれば、前記主電源スイッチがオンであって、前記副電源スイッチがオフである場合は、外部から特定信号が受信され、かつ前記副電源スイッチがオンになったときのみ、自機の起動が開始することにより、自機の不正使用、又は機器ごとに盗まれた場合の情報流出を未然に防止できる。
【図面の簡単な説明】
【００１６】
【図１】本発明の実施の形態に係る複合機の要部構成を示す機能ブロック図である。
【図２】本発明の実施の形態に係る複合機における、制御部の要部構成を示すブロック図である。
【図３】本発明の実施の形態に係る複合機における、指示信号出力部の構成の一例を示す例示図である。
【図４】本発明の実施の形態に係る複合機における、起動・停止の制御を説明するフローチャートである。
【発明を実施するための形態】
【００１７】
以下に、本発明の実施の形態に係る電気機器を、複数種類の機能を有しており、公共の場に設けられた複合機に適用した場合を例として、図面に基づいて詳述する。しかし、本発明は複合機に限るものでなく、例えば、パーソナルコンピュータ等にも適用可能であることは言うまでもない。
【００１８】
図１は本発明の実施の形態に係る複合機１００の要部構成を示す機能ブロック図である。複合機１００は、制御部１０と、画像入力部２０と、画像処理部３０と、画像出力部４０と、送受信部５０と、操作パネル６０と、表示部７０と、記憶部８０とを備えている。
【００１９】
画像入力部２０は、読み取り用の原稿に光を照射する光源、ＣＣＤ（Charge Coupled Device）のようなイメージセンサ等を有し、該原稿の画像データの光学的読み取りを行なう。また、画像入力部２０では、所定の読取り位置に載置された原稿からの反射光像を当該イメージセンサに結像させ、ＲＧＢ（R : Red, G : Green, B : Blue）のアナログデータを出力する。
【００２０】
画像処理部３０は、例えば、画像入力部２０から入力されるアナログデータを基にデジタル形式の画像データを生成し、又は記憶部８０に記憶されている画像データを読み出し、夫々の画像の種類に応じた処理を施した後、出力（印刷）すべき画像データを生成する。画像処理部３０によって生成された出力用画像データは、画像出力部４０に出力される。
【００２１】
画像出力部４０は、画像処理部３０から出力される画像データに基づく画像を記録用紙、ＯＨＰフィルム等の記録媒体上に印刷する。画像出力部４０は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を記録媒体上に転写する転写器等を備えており、例えば、電子写真方式にて画像を記録媒体上に出力する。
【００２２】
送受信部５０は、外部に前記原稿のデータを送信するネットワークカード、モデム、ＲＪ４５コネクタ等を備えている。例えば、送受信部５０はＲＪ４５コネクタを介して外部からマジックパケット信号を受信する。該マジックパケット信号は、当該機器のＭＡＣアドレスを１６回連続送信するパケットである。
【００２３】
また、操作パネル６０は、複合機１００における各種機能を切り替える機能ボタン、テンキー、スタートキー、キャンセルキー、受け付けた指示を確定するためのエンターキー、画像入力部２０を介して読み取った原稿の画像をシート状の記録媒体上に画像形成するための「出力」キー又は「コピー」キー等を備えている。
【００２４】
表示部７０は、例えば、ＬＣＤ又はＥＬ（Electroluminescence）パネル等からなり、画像出力部４０を介して、所定の記録用紙へ出力（印刷）すべき画像（表示画像）が表示される。また、表示部７０は、複合機１００の状態、ジョブ処理の状況、画像入力部２０が読み取った原稿の画像及び操作パネル６０の操作内容の確認等、利用者に対して報知すべき情報を表示する。
【００２５】
記憶部８０は、例えば、フラッシュメモリ、ＥＥＰＲＯＭ（商標登録）、ＨＤＤ、ＭＲＡＭ（磁気抵抗メモリ）、ＦｅＲＡＭ（強誘電体メモリ）、又は、ＯＵＭ等の不揮発性の記憶媒体により構成されている。
【００２６】
制御部１０は上述した各ハードウェアの制御を行なう。図２は本発明の実施の形態に係る複合機１００における、制御部１０の要部構成を示すブロック図である。制御部１０は、ＣＰＵ１１と、ＲＯＭ（図示せず）と、ＤＲＡＭ１２と、ＬＡＮコントローラ１３（受信判定部）と、Ｃｈｉｐｓｅｔ１４と、ＣＰＬＤ１５（起動制御部）とを備えている。
【００２７】
ＲＯＭ（図示せず）には各種の制御プログラム、演算用のパラメータのうちの基本的に固定のデータ等が予め格納されており、ＤＲＡＭ１２はデータを一時的に記憶し、記憶順、記憶位置等に関係なく読み出すことが可能である。また、ＤＲＡＭ１２は、例えば、ＲＯＭ（図示せず）から読み出されたプログラム、該プログラムを実行することにより発生する各種データ、該実行の際適宜変化するパラメータ等を記憶する。
【００２８】
ＣＰＵ１１は、ＲＯＭ（図示せず）に予め格納されている制御プログラムをＤＲＡＭ１２上にロードして実行することによって、上述した各種ハードウェアの制御を行ない、装置全体を本発明の複合機１００として動作させる。
【００２９】
ＬＡＮコントローラ１３（受信判定部）は、ＲＪ４５コネクタ５１に接続されている通信回線（例えば、ネットワーク）を介して外部から送信されてくる信号を受信する。ＬＡＮコントローラ１３は、ＲＪ４５コネクタ５１からの信号を受信し、又はＲＪ４５コネクタ５１に信号を送信するポート１３１と、Ｃｈｉｐｓｅｔ１４との信号の送受信を行なうＩ／Ｏインターフェイス１３２と、ＣＰＬＤ１５に所定の信号を送信する送信端子１３３とを備えている。
【００３０】
ポート１３１は、例えば、複数の端子を有するＭＤＩ（Medium Dependent Interface）であり、一部の端子は送信用に、他の端子は受信用に割り当てられている。また、Ｉ／Ｏインターフェイス１３２は、例えば、ＰＣＩ‐Ｅｘｐｒｅｓｓのようなシリアルインターフェイスである。
【００３１】
特に、ＬＡＮコントローラ１３は、特定の条件の下、ポート１３１が受信する外部からの受信信号を監視し、特定の信号を受信したか否かを判定する。例えば、該特定の信号を受信したと判定した場合、ＬＡＮコントローラ１３は、送信端子１３３を介してＬＯＷパルスをＣＰＬＤ１５に出力し、その旨を知らせる。
【００３２】
より詳しくは、主電源スイッチ（図示せず）がオンである状態であって、副電源スイッチ９１がオフである場合、すなわち、電源は供給されているものの、起動していない状態（以下、起動前状態という）において、本発明に係る複合機１００は、外部との通信ができる最小限の部分がオン状態となる。具体的には、この際、ＬＡＮコントローラ１３、Ｃｈｉｐｓｅｔ１４、ＣＰＬＤ１５、ＲＪ４５コネクタ５１等はオン状態である。
【００３３】
このような起動前状態にて、外部から信号を受信した場合、ＬＡＮコントローラ１３は、受信した信号が特定の信号（例えば、マジックパケット）であるか否かを判定し、特定の信号でると判定した場合は、送信端子１３３を介してＣＰＬＤ１５にＬＯＷパルスを出力する。なお、以下の説明においては、斯かる特定の信号がマジックパケットである場合を例にあげて説明する。しかし、これに限るものでなく、ユーザによって設定された特定のパケット、又は任意の信号であっても良い。
【００３４】
ＣＰＬＤ（Complex Programmable Logic Device）１５（起動制御部）は、ＬＡＮコントローラ１３からの信号が入力されるＧＰＩ端子１５１（汎用制御入力）と、副電源スイッチ９１からの信号が入力されるＧＰＩ端子１５３と、Ｃｈｉｐｓｅｔ１４に所定の信号を出力するＧＰＯ端子１５２（汎用制御出力）と、ＧＰＩ端子１５１、ＧＰＩ端子１５３及びＧＰＯ端子１５２と接続しており、ＧＰＩ端子１５１及びＧＰＩ端子１５３を介して入力される信号に基づいて、ＧＰＯ端子１５２を介してＣｈｉｐｓｅｔ１４に所定の指示信号を出力する指示信号出力部１５４（異同判定部）を備えている。
【００３５】
より詳しくは、指示信号出力部１５４は、ＧＰＩ端子１５１及びＧＰＩ端子１５３を介して入力される信号のレベルが同一であるか異なるかを判定する。指示信号出力部１５４は、これら信号のレベルの異同如何に基づいて、Ｃｈｉｐｓｅｔ１４に対し、起動を開始する旨を指示する。
【００３６】
以下においては、ＧＰＩ端子１５１及びＧＰＩ端子１５３を介して入力される信号のレベルが同一である場合、指示信号出力部１５４がＣｈｉｐｓｅｔ１４に対して斯かる指示を行なうものとする。すなわち、何れの信号もＬＯＷパルスである場合、指示信号出力部１５４は、ＧＰＯ端子１５２を介して、ＬＯＷパルスの指示信号をＣｈｉｐｓｅｔ１４に出力し、起動を開始する旨を指示する。
【００３７】
一方、ユーザが副電源スイッチ９１をオンにする操作を行った場合、副電源スイッチ９１はＧＰＩ端子１５３にＬＯＷパルスが送るように構成されている。
【００３８】
図３は本発明の実施の形態に係る複合機１００における、指示信号出力部１５４の構成の一例を示す例示図である。指示信号出力部１５４は、ラッチ回路１５５と、ＯＲゲート１５６とを備えている。
【００３９】
ラッチ回路１５５は、ＧＰＩ端子１５１に入力側が接続されており、出力側がＯＲゲート１５６と接続されている。例えば、ＧＰＩ端子１５１からＬＯＷパルスが入力された場合、ラッチ回路１５５は所定時間の間ＬＯＷパルスを出力し続ける。
【００４０】
ＯＲゲート１５６は、一方の入力端子がラッチ回路１５５の出力側と接続され、他方の入力端子はＧＰＩ端子１５３と接続されており、出力端子はＧＰＯ端子１５２と接続されている。すなわち、ＯＲゲート１５６は、両入力端子を介してＬＯＷパルスが入力された場合のみ、ＧＰＯ端子１５２にＬＯＷパルスを出力するように構成されている。
【００４１】
換言すれば、例えば、前記起動前状態にて、外部からマジックパケット信号を受信し、ＬＡＮコントローラ１３が送信端子１３３を介してＣＰＬＤ１５にＬＯＷパルスを出力した場合であって、ユーザが副電源スイッチ９１をオンにする操作を行なった場合のみ、指示信号出力部１５４は、ＧＰＯ端子１５２を介して、Ｃｈｉｐｓｅｔ１４にＬＯＷパルスの指示信号を出力し、起動が開始される。
【００４２】
すなわち、前記起動前状態において、複合機１００を起動させるためには、ユーザが副電源スイッチ９１をオンにする操作を行なうだけでは足りず、外部からマジックパケット信号を受信していることが必要である。
【００４３】
従って、本発明に係る複合機１００が、例えば、機器ごと盗難された場合であっても、複合機１００を起動させることが出来ないので、複合機１００に記憶されている情報の流出を未然に防止できる。
【００４４】
Ｃｈｉｐｓｅｔ１４は、例えば、Ｓｏｕｔｈ‐Ｂｒｉｄｇｅであり、ＣＰＬＤ１５のＧＰＯ端子１５２からの信号を受信する受信端子１４３を備えている。更に、Ｃｈｉｐｓｅｔ１４は、ＬＡＮコントローラ１３のＩ／Ｏインターフェイス１３２と送受信を行なうＩ／Ｏインターフェイス１４２を備えており、Ｉ／Ｏインターフェイス１４２は、例えば、ＰＣＩ‐Ｅｘｐｒｅｓｓのようなシリアルインターフェイスである。また、Ｃｈｉｐｓｅｔ１４はＧＰＯ端子１４４を備えており、ＧＰＯ端子１４４を介して上述した各ハードウェアに電源を供給するためのＤＣＤＣ９０に電源の供給を開始する旨の指示の信号を出力する。なお、Ｃｈｉｐｓｅｔ１４は、ＣＰＵ１１と送受信を行なうインターフェイス１４１を備えている。
【００４５】
例えば、Ｃｈｉｐｓｅｔ１４は、受信端子１４３を介して、ＣＰＬＤ１５からＬＯＷパルスの指示信号を受信した場合、ＧＰＯ端子１４４を介してＤＣＤＣ９０に各ハードウェアに電源の供給を開始する旨の指示の信号を出力し、インターフェイス１４１を介してＣＰＵ１１に各ハードウェアの起動を制御する旨の信号を送信する。これに応じて、ＤＣＤＣ９０は各ハードウェアに電源を供給し、ＣＰＵ１１は各ハードウェアの起動の制御を開始する。
【００４６】
ＣＰＵ１１は、Ｃｈｉｐｓｅｔ１４との送受信を行なうインターフェイス１１１と、ＤＲＡＭ１２に対するインターフェイス１１２とを備えており、上述したように、Ｃｈｉｐｓｅｔ１４から所定の信号を受信した場合、各ハードウェアの起動の制御を開始する。
【００４７】
図４は本発明の実施の形態に係る複合機１００における、起動・停止の制御を説明するフローチャートである。説明の便宜上、主電源スイッチ（図示せず）がオンである状態であって、副電源スイッチ９１がオフである状態（起動前状態）において、ユーザが副電源スイッチ９１を操作してオンにする場合を例として説明する。
【００４８】
例えば、ＣＰＬＤ１５はＬＡＮコントローラ１３を介して、所定時間ごとにマジックパケット信号が受信されたか否かを判定する（ステップＳ１０１）。すなわち、マジックパケット信号が受信された場合、ＬＡＮコントローラ１３がＣＰＬＤ１５にＬＯＷパルスを出力するので、ＣＰＬＤ１５はＬＡＮコントローラ１３からＬＯＷパルスを受信したか監視することにより、斯かる判定を行なう。
【００４９】
ＣＰＬＤ１５は、マジックパケット信号が受信されていないと判定した場合（ステップＳ１０１：ＮＯ）、今現在、自機のシステムが起動中であるか否かを判定する（ステップＳ１０２）。
【００５０】
ＣＰＬＤ１５は、自機のシステムが、今現在、起動中でないと判定した場合（ステップＳ１０２：ＮＯ）、例えば、前記起動前状態である場合には、処理がステップＳ１０１に戻り、起動前状態が維持される。
【００５１】
一方、ＣＰＬＤ１５が自機のシステムを、今現在、起動中であると判定した場合（ステップＳ１０２：ＹＥＳ）、例えば、Ｃｈｉｐｓｅｔ１４にＨｉｇｈパルスを出力する。これに応じて、Ｃｈｉｐｓｅｔ１４はＧＰＯ端子１４４を介して、ＤＣＤＣ９０に、各ハードウェアへの電源の供給を中止する旨の指示の信号を出力する。
【００５２】
斯かる指示の信号に応じて、ＤＣＤＣ９０が各ハードウェアへの電源の供給を中止することにより、システムの起動は停止され、例えば、前記起動前状態に戻る（ステップＳ１０６）。
【００５３】
一方、ステップＳ１０１において、ＣＰＬＤ１５が、マジックパケット信号を受信したと判定した場合（ステップＳ１０１：ＹＥＳ）、副電源スイッチ９１をオンにする指示を受け付けたか否かを判定する（ステップＳ１０３）。斯かる判定は、例えば、ＧＰＩ端子１５３を介して、副電源スイッチ９１からＬＯＷパルスが出力されたか否かを監視することにより行なわれる。
【００５４】
ＣＰＬＤ１５は、一定時間、副電源スイッチ９１をオンにする指示を受け付けていないと判定した場合（ステップＳ１０３：ＮＯ）、ＬＡＮコントローラ１３から受信したＬＯＷパルスを無効にし（ステップＳ１０７）、処理はステップＳ１０１に戻る。
【００５５】
また、ＣＰＬＤ１５は、副電源スイッチ９１をオンにする指示を受け付けたと判定した場合（ステップＳ１０３：ＹＥＳ）、換言すれば、指示信号出力部１５４によってＧＰＩ端子１５１及びＧＰＩ端子１５３を介して入力される信号のレベルが共にＬＯＷであると判定された場合、ＧＰＯ端子１５２を介して、Ｃｈｉｐｓｅｔ１４にＬＯＷパルスの指示信号を出力する。
【００５６】
このように、Ｃｈｉｐｓｅｔ１４は、受信端子１４３を介して、ＣＰＬＤ１５からＬＯＷパルスの指示信号を受信した場合、ＤＣＤＣ９０をオンにする旨の信号を、ＧＰＯ端子１４４を介してＤＣＤＣ９０に出力することにより、ＤＣＤＣ９０をオンにする（ステップＳ１０４）。以降、ＤＣＤＣ９０は各ハードウェアへの電源の供給を開始する。
【００５７】
この際、Ｃｈｉｐｓｅｔ１４は、インターフェイス１４１を介してＣＰＵ１１に上述した信号を送信し、ＣＰＵ１１は各ハードウェアの起動の制御を開始する。
【００５８】
これらによって、複合機１００において、システムが起動される（ステップＳ１０５）。
【００５９】
以上においては、ＬＡＮコントローラ１３からのパルスのレベルと、副電源スイッチ９１からのパルスのレベルとが同一である判定した場合、すなわち、これらが共にＬＯＷパルスである場合、指示信号出力部１５４がＣｈｉｐｓｅｔ１４に対して起動を開始する指示を行なうことについて説明したが、本発明はこれに限るものでない。
例えば、ユーザが副電源スイッチ９１をオンにしたとき、副電源スイッチ９１からＨｉｇｈパルスが出力されるような場合は、ＬＡＮコントローラ１３からのパルスのレベルと、副電源スイッチ９１からのパルスのレベルとが異なると判定した場合、指示信号出力部１５４がＣｈｉｐｓｅｔ１４に対して起動を開始する指示を行なうように構成しても良い。
【符号の説明】
【００６０】
１０  制御部
１１  ＣＰＵ
９１  副電源スイッチ
１３  ＬＡＮコントローラ
１４  Ｃｈｉｐｓｅｔ
１５  ＣＰＬＤ
１００  複合機
１５４  指示信号出力部
【図１】
2014051072.tif 000003
【図２】
2014051072.tif 000004
【図３】
2014051072.tif 000005
【図４】
2014051072.tif 000006